【手続補正書】
【提出日】平成28年1月15日(2016.1.15)
【手続補正１】
【補正対象書類名】明細書
【補正対象項目名】発明の名称
【補正方法】変更
【補正の内容】
【発明の名称】衛星通信システム、衛星通信制御方法、移動局、固定局、およびプログラム
【手続補正２】
【補正対象書類名】明細書
【補正対象項目名】０００１
【補正方法】変更
【補正の内容】
【０００１】
この発明は、固定局および移動局を備え、固定局と移動局との間および移動局間の通信は、衛星を介して行われる衛星通信システム、衛星通信制御方法、移動局、固定局、およびプログラムに関する。
【手続補正３】
【補正対象書類名】明細書
【補正対象項目名】０００７
【補正方法】変更
【補正の内容】
【０００７】
上記目的を達成するために、本発明の衛星通信システムは、固定局と移動局とを備え、固定局と移動局との間および移動局間の、制御情報通信およびデータ通信は衛星を介して行われる衛星通信システムであって、移動局は、移動局送信部、移動局受信部、および移動局設定部を備え、固定局は、固定局受信部、通信パラメータ決定部、および固定局送信部を備える。移動局送信部は、移動局の、性能情報、障害情報および設定情報の少なくともいずれかを含む移動局パラメータおよび移動局の位置情報を制御情報通信で固定局に送信する。移動局受信部は、固定局が制御情報通信で送信した、移動局がデータ通信に用いる周波数、変調方式、伝送速度および誤り訂正方式の少なくともいずれかを含む通信パラメータを受信する。移動局設定部は、移動局受信部で受信した通信パラメータに基づき、データ通信の設定を行う。固定局受信部は、移動局が制御情報通信で送信した移動局パラメータおよび位置情報を受信する。通信パラメータ決定部は、固定局受信部で受信した移動局パラメータおよび位置情報に基づき、通信パラメータを決定する。固定局送信部は、通信パラメータを制御情報通信で移動局に送信する。
【手続補正４】
【補正対象書類名】特許請求の範囲
【補正対象項目名】全文
【補正方法】変更
【補正の内容】
【特許請求の範囲】
【請求項１】
固定局と移動局とを備え、前記固定局と前記移動局との間および前記移動局間の、制御情報通信およびデータ通信は衛星を介して行われる衛星通信システムであって、
前記移動局は、
前記移動局の、性能情報、障害情報および設定情報の少なくともいずれかを含む移動局パラメータおよび前記移動局の位置情報を前記制御情報通信で前記固定局に送信する移動局送信部と、
前記固定局が前記制御情報通信で送信した、前記移動局がデータ通信に用いる周波数、変調方式、伝送速度および誤り訂正方式の少なくともいずれかを含む通信パラメータを受信する移動局受信部と、
前記移動局受信部で受信した前記通信パラメータに基づき、データ通信の設定を行う移動局設定部とを備え、
前記固定局は、
前記移動局が前記制御情報通信で送信した前記移動局パラメータおよび前記位置情報を受信する固定局受信部と、
前記固定局受信部で受信した前記移動局パラメータおよび前記位置情報に基づき、前記通信パラメータを決定する通信パラメータ決定部と、
前記通信パラメータを前記制御情報通信で前記移動局に送信する固定局送信部とを備える、
衛星通信システム。
【請求項２】
前記移動局送信部は、前記固定局から前記制御情報通信に用いる帯域である移動局制御通信帯域が割り当てられるまでは、前記移動局制御通信帯域に割り当てられるためにあらかじめ確保された帯域の集合である割当用帯域に含まれない所定の帯域を用いて、前記制御情報通信で前記移動局パラメータおよび前記位置情報を前記固定局に送信し、
前記移動局受信部は、前記移動局制御通信帯域についての情報を、前記所定の帯域で受信し、
前記移動局は、
前記移動局制御通信帯域についての情報に基づき、前記移動局送信部および前記移動局受信部における前記制御情報通信に用いる帯域を設定する移動局帯域設定部をさらに備え、
前記固定局は、
前記固定局受信部で受信した前記移動局パラメータおよび前記位置情報に基づき、前記割当用帯域の中から、前記移動局制御通信帯域を決定する帯域決定部をさらに備え、
前記固定局送信部は、前記移動局制御通信帯域についての情報を前記移動局に前記所定の帯域で送信する、
請求項１に記載の衛星通信システム。
【請求項３】
前記固定局は、
前記固定局受信部で受信した前記移動局パラメータおよび前記位置情報に基づき、前記制御情報通信の接続方式を決定する接続決定部と、
前記接続方式に基づき、前記固定局受信部および前記固定局送信部における前記制御情報通信の接続方式を設定する固定局接続設定部とをさらに備え、
前記固定局送信部は、前記接続方式についての情報を前記移動局に送信し、
前記移動局受信部は、前記固定局が送信した前記接続方式についての情報を受信し、
前記移動局は、
前記移動局受信部で受信した前記接続方式についての情報に基づき、前記移動局受信部および前記移動局送信部における前記制御情報通信の接続方式を設定する移動局接続設定部をさらに備える、
請求項１または２に記載の衛星通信システム。
【請求項４】
前記固定局送信部は、前記移動局から前記移動局パラメータおよび前記位置情報を受信するまで前記移動局に前記移動局パラメータおよび前記位置情報の要求を任意に定めた間隔で送信し、前記移動局から前記移動局パラメータおよび前記位置情報を受信していない時間が閾値以上である場合には、前記要求の送信を停止し、
前記移動局受信部は、前記固定局が送信した前記移動局パラメータおよび前記位置情報の要求を受信し、
前記移動局送信部は、前記移動局受信部で前記要求を受信した場合に、前記固定局に前記移動局パラメータおよび前記位置情報を送信する、
請求項１ないし３のいずれか１項に記載の衛星通信システム。
【請求項５】
前記移動局同士、または前記移動局および前記固定局がデータ通信を行っているか否かによらず、
前記移動局は、前記移動局送信部の処理を繰り返し行い、
前記固定局は、前記固定局受信部の処理を繰り返し行う、
請求項１ないし４のいずれか１項に記載の衛星通信システム。
【請求項６】
前記移動局同士、または前記移動局および前記固定局がデータ通信を行っているか否かによらず、
前記移動局は、前記移動局送信部、前記移動局受信部、および前記移動局設定部の処理を繰り返し行い、
前記固定局は、前記固定局受信部、前記通信パラメータ決定部、および前記固定局送信部の処理を繰り返し行う、
請求項１ないし４のいずれか１項に記載の衛星通信システム。
【請求項７】
複数の前記固定局を備え、
前記移動局パラメータおよび前記位置情報を記憶する記憶装置をさらに備え、
前記固定局は、
他の前記固定局と、前記移動局パラメータおよび前記位置情報の送受信を行う相互通信部をさらに備え、
前記複数の固定局の内、親局である固定局は、
前記移動局または他の前記固定局から受信した前記移動局パラメータおよび前記位置情報に基づき、前記記憶装置に記憶された前記移動局パラメータおよび前記位置情報を更新する更新部をさらに備える、
請求項１ないし６のいずれか１項に記載の衛星通信システム。
【請求項８】
複数の前記固定局を備え、
前記移動局パラメータおよび前記位置情報を記憶する記憶装置をさらに備え、
前記固定局は、
他の前記固定局と、前記移動局パラメータおよび前記位置情報の送受信を行う相互通信部と、
前記移動局または前記他の固定局から受信した前記移動局パラメータおよび前記位置情報に基づき、前記記憶装置に記憶された前記移動局パラメータおよび前記位置情報を更新する更新部とをさらに備え、
前記複数の固定局の内、親局である固定局は、
前記更新部の処理を行い、
前記複数の固定局の内、親局でない固定局は、
任意に定めた間隔で前記親局と通信を行い、前記親局との通信に基づき、前記親局が正常に動作していないと判定した場合には、前記親局でない固定局の内、定めた固定局が前記親局となり、前記更新部の処理を行う、
請求項１ないし６のいずれか１項に記載の衛星通信システム。
【請求項９】
固定局と移動局とを備え、前記固定局と前記移動局との間および前記移動局間の、制御情報通信およびデータ通信は衛星を介して行われる衛星通信システムが行う衛星通信制御方法であって、
前記移動局の、性能情報、障害情報および設定情報の少なくともいずれかを含む移動局パラメータおよび前記移動局の位置情報を取得する情報取得ステップと、
前記移動局パラメータおよび前記位置情報に基づき、前記移動局がデータ通信に用いる周波数、変調方式、伝送速度および誤り訂正方式の少なくともいずれかを含む通信パラメータを決定する通信パラメータ決定ステップと、
前記通信パラメータに基づき、前記移動局におけるデータ通信の設定を行う移動局設定ステップと、
を備える衛星通信制御方法。
【請求項１０】
固定局と移動局とを備え、前記固定局と前記移動局との間および前記移動局間の、制御情報通信およびデータ通信は衛星を介して行われる衛星通信システムの前記移動局であって、
自局の性能情報、障害情報および設定情報の少なくともいずれかを含む移動局パラメータおよび自局の位置情報を、前記制御情報通信で前記固定局に送信する移動局送信部と、
前記移動局パラメータおよび前記位置情報に基づき前記固定局が決定した、データ通信に用いる周波数、変調方式、伝送速度および誤り訂正方式の少なくともいずれかを含む通信パラメータを、前記固定局から前記制御情報通信で受信する移動局受信部と、
前記移動局受信部で受信した前記通信パラメータに基づき、データ通信の設定を行う移動局設定部と、
を備える移動局。
【請求項１１】
あらかじめ確保された帯域の集合である割当用帯域から前記固定局が決定した、前記移動局の前記制御情報通信に用いる帯域である移動局制御通信帯域の情報に基づいて、前記移動局送信部および前記移動局受信部における前記制御情報通信に用いる帯域を設定する移動局帯域設定部をさらに備え、
前記移動局送信部は、前記移動局制御通信帯域が割り当てられるまでは、前記割当用帯域に含まれない所定の帯域により、前記移動局パラメータおよび前記位置情報を前記制御情報通信で前記固定局に送信し、
前記移動局受信部は、前記固定局が前記移動局パラメータおよび前記位置情報に基づき決定した前記移動局制御通信帯域の情報を前記所定の帯域で受信する、
請求項１０に記載の移動局。
【請求項１２】
前記固定局が前記移動局パラメータおよび前記位置情報により設定した接続方式についての情報に基づいて、前記移動局受信部および前記移動局送信部における前記制御情報通信の接続方式を設定する移動局接続設定部をさらに備え、
前記移動局受信部は、前記接続方式についての情報を前記固定局から前記制御情報通信で受信する、
請求項１０または１１に記載の移動局。
【請求項１３】
固定局と移動局とを備え、前記固定局と前記移動局との間および前記移動局間の、制御情報通信およびデータ通信は衛星を介して行われる衛星通信システムの前記固定局であって、
前記移動局の性能情報、障害情報および設定情報の少なくともいずれかを含む移動局パラメータおよび前記移動局の位置情報を、前記移動局から前記制御情報通信で受信する固定局受信部と、
前記移動局パラメータおよび前記位置情報に基づき、前記移動局がデータ通信に用いる周波数、変調方式、伝送速度および誤り訂正方式の少なくともいずれかを含む通信パラメータを決定する通信パラメータ決定部と、
前記通信パラメータを前記制御情報通信で前記移動局に送信する固定局送信部と、
を備える固定局。
【請求項１４】
前記移動局の前記移動局パラメータおよび前記位置情報に基づき、前記移動局の前記制御情報通信に用いる帯域である移動局制御通信帯域を、あらかじめ確保された帯域の集合である割当用帯域の中から決定する帯域決定部をさらに備え、
前記固定局受信部は、前記移動局制御通信帯域が割り当てられるまでは、前記割当用帯域に含まれない所定の帯域で前記移動局が送信する、前記移動局の前記移動局パラメータおよび前記位置情報を受信し、
前記固定局送信部は、前記移動局制御通信帯域についての情報を前記所定の帯域で前記移動局に送信する、
請求項１３に記載の固定局。
【請求項１５】
前記固定局受信部で受信した前記移動局パラメータおよび前記位置情報に基づき、前記制御情報通信の接続方式を決定する接続決定部と、
前記接続方式に基づき、前記固定局受信部および前記固定局送信部における前記制御情報通信の接続方式を設定する固定局接続設定部とをさらに備え、
前記固定局送信部は、前記接続方式についての情報を前記移動局に送信する、
請求項１３または１４に記載の固定局。
【請求項１６】
固定局と移動局とを備え、前記固定局と前記移動局との間および前記移動局間の、制御情報通信およびデータ通信は衛星を介して行われる衛星通信システムの前記移動局を制御するコンピュータに、
自局の性能情報、障害情報および設定情報の少なくともいずれかを含む移動局パラメータおよび前記移動局の位置情報を前記制御情報通信で前記固定局に送信するステップと、
前記固定局が前記移動局パラメータおよび前記位置情報に基づき決定し、前記制御情報通信で送信した、データ通信に用いる周波数、変調方式、伝送速度および誤り訂正方式の少なくともいずれかを含む通信パラメータを受信するステップと、
前記通信パラメータに基づき、データ通信の設定を行うステップと、
を実行させるプログラム。
【請求項１７】
固定局と移動局とを備え、前記固定局と前記移動局との間および前記移動局間の、制御情報通信およびデータ通信は衛星を介して行われる衛星通信システムの前記固定局を制御するコンピュータに、
前記移動局の、性能情報、障害情報および設定情報の少なくともいずれかを含む移動局パラメータおよび前記移動局の位置情報を前記制御情報通信で前記移動局から受信するステップと、
前記移動局パラメータおよび前記位置情報に基づき、前記移動局がデータ通信に用いる周波数、変調方式、伝送速度および誤り訂正方式の少なくともいずれかを含む通信パラメータを決定するステップと、
前記通信パラメータを前記制御情報通信で前記移動局に送信するステップと、
を実行させるプログラム。